(57)【特許請求の範囲】
【請求項１】
屈曲部を介して当該屈曲部から離れる長手方向に向かって互いに伸びる金属製の一対の板状挟持片からなり、
被挟持物を挟持する一対の挟持面が前記一対の板状挟持片の前記屈曲部に対向する側の端縁にそれぞれ形成されている挟持具であって、
前記屈曲部の近傍において、前記一対の板状挟持片の互いに対向する壁面同士の間に剛性を有する部材からなる支持体が配備され、
前記支持体と、前記一対の板状挟持片の互いに対向している壁面との間にそれぞれ固定部が形成され、
前記固定部を支点として前記挟持面同士の間に前記被挟持物を挟むべく前記端縁同士が互いに接近する
挟持具。
【請求項２】
前記屈曲部の内側面から前記固定部までの長さＬ１と、前記固定部から前記板状挟持片の前記屈曲部に対向する側の前記端縁までの長さＬ２との関係がＬ１：Ｌ２＝１：５．２〜Ｌ１：Ｌ２＝１：６．３である
請求項１記載の挟持具。
【発明の詳細な説明】
【技術分野】
【０００１】
この発明は毛抜きやピンセットなどの挟持具に関し、特に、薄板状の金属片を屈曲部で折り曲げた構造・形状からなる挟持具に関する。
【背景技術】
【０００２】
小さな物を挟んだり、摘まむことに用いられる金属製の器具である挟持具として、従来から、毛抜きやピンセットが知られている。
【０００３】
金属製の毛抜きやピンセットの中には、一枚の薄板状の金属片を屈曲部で折り曲げた構造・形状からなるものがある。
【０００４】
図１を用いて、一枚の薄板状の金属片を屈曲部で折り曲げた構造・形状からなる従来の一般的な毛抜きについて説明する。
【０００５】
毛抜き１は、屈曲部２を介して、屈曲部２から離れる長手方向に向かって互いに伸びる金属製の一対の板状挟持片３ａ、３ｂから形成されている。
【０００６】
一対の板状挟持片３ａ、３ｂの屈曲部２に対向する側の端縁４ａ、４ｂに被挟持物を挟持する一対の挟持面５ａ、５ｂがそれぞれ形成されている。互いに対向する一対の挟持面５ａ、５ｂによって挟持される小さな被挟持物は、例えば、眉毛、無駄毛、トゲなどである。
【０００７】
金属製の毛抜き１を使用する際には、挟持片３ａ、３ｂを指で摘まんで、金属の弾性力に抗しながら、屈曲部２を支点として、端縁４ａ、４ｂを、矢印６ａ、６ｂで示すように、互いに接近させる。こうして、挟持面５ａ、５ｂに無駄毛などを挟んで抜き取る。
【０００８】
この際の弾性力は、金属製の一対の板状挟持片３ａ、３ｂが屈曲部２で折り曲げられて長手方向に延び、互いに対向しているという構造によって発揮されている。
【０００９】
このような金属製の毛抜き１においては、弾性力の確保と、スムーズに使用できるようにする目的で、屈曲部２の肉厚Ｗ１を、屈曲部２以外の部分における挟持片３ａ、３ｂの肉厚Ｗ２より小さくしているのが一般的であった。
【００１０】
このようなＷ１＜Ｗ２の構造の場合、挟持片３ａ、３ｂを指で摘まんで端縁４ａ、４ｂを矢印６ａ、６ｂ方向に接近させようとすると、屈曲部２が肉薄であることから、端縁４ａ、４ｂが矢印７ａ、７ｂ方向、あるいはその逆方向にそれぞれズレてしまうことがあった。すなわち、指で挟持片３ａ、３ｂを摘まんで端縁４ａ、４ｂを矢印６ａ、６ｂ方向に接近させようとすると、挟持片３ａ、３ｂが延びている長手方向に交差する上下方向に端縁４ａ、４ｂがズレてしまうことがあった。
【００１１】
挟持面５ａ、５ｂが形成されている端縁４ａ、４ｂが、挟持片３ａ、３ｂが延びている長手方向に交差する上下方向にズレてしまうと、挟持面５ａ、５ｂで目的とする無駄毛などをうまく挟めなくなる。
【００１２】
このような問題は、一枚の薄板状の金属片を屈曲部で折り曲げた構造・形状からなるピンセットにおいても同様に生じる。
【００１３】
このような問題を解決する目的で本願発明者は従来になかった新規な構造の挟持具として毛抜きを提案している（特許文献１）。
【先行技術文献】
【特許文献】
【００１４】
【特許文献１】特許第５０６３８３０号公報
【発明の概要】
【発明が解決しようとする課題】
【００１５】
この発明は、屈曲部を介して当該屈曲部から離れる長手方向に向かって互いに伸びる金属製の一対の板状挟持片からなり、被挟持物を挟持する一対の挟持面が前記一対の板状挟持片の前記屈曲部に対向する側の端縁にそれぞれ形成されている挟持具において、使用する際に、挟持面が形成されている側の端縁が前記長手方向に交差する上下方向にズレて、目的とする小さな被挟持物をうまく挟めなくなるという問題を解決できる新たな構造の挟持具を提案することを目的にしている。
【課題を解決するための手段】
【００１６】
屈曲部を介して当該屈曲部から離れる長手方向に向かって互いに伸びる金属製の一対の板状挟持片からなり、
被挟持物を挟持する一対の挟持面が前記一対の板状挟持片の前記屈曲部に対向する側の端縁にそれぞれ形成されている挟持具であって、
前記屈曲部の近傍において、前記一対の板状挟持片の互いに対向する壁面同士の間に剛性を有する部材からなる支持体が配備され、
前記支持体と、前記一対の板状挟持片の互いに対向している壁面との間にそれぞれ固定部が形成され、
前記固定部を支点として前記挟持面同士の間に前記被挟持物を挟むべく前記端縁同士が互いに接近する
挟持具である。
【００１７】
前記において、前記屈曲部の内側面から前記固定部までの長さＬ１と、前記固定部から前記板状挟持片の前記屈曲部に対向する側の前記端縁までの長さＬ２との関係がＬ１：Ｌ２＝１：５．２〜Ｌ１：Ｌ２＝１：６．３である毛抜きである。
【発明の効果】
【００１８】
この発明によれば、屈曲部を介して当該屈曲部から離れる長手方向に向かって互いに伸びる金属製の一対の板状挟持片からなり、被挟持物を挟持する一対の挟持面が前記一対の板状挟持片の前記屈曲部に対向する側の端縁にそれぞれ形成されている挟持具において、使用する際に、挟持面が形成されている側の端縁が前記長手方向に交差する上下方向にズレて、目的とする小さな被挟持物をうまく挟めなくなるという事態が発生することを未然に防止できる。これによって、使い勝手の良い挟持具を提供することができる。
【図面の簡単な説明】
【００１９】
【図１】従来の毛抜きの一例を説明する斜視図。
【図２】本発明の一実施形態において、支持体が一対の板状挟持片の互いに対向する壁面同士の間に配備されるときの、当該壁面同士の間の間隔の大きさと、そこに配備される支持体の大きさとの関係を説明する平面図。
【図３】本発明の一実施形態の平面図。
【図４】図３図示の実施形態の斜視図。
【図５】本発明の他の実施形態の平面図。
【図６】図５図示の実施形態の斜視図。
【図７】本発明の更に他の実施形態の平面図。
【発明を実施するための形態】
【００２０】
以下、添付図面を参照して本発明の好ましい実施形態を説明する。以下では、薄板状の金属片を屈曲部で折り曲げた構造・形状からなる挟持具の一実施形態として毛抜きについて説明する。
【００２１】
なお、図１を用いて説明した従来の毛抜き１と共通している構成要素については共通している符号をつけてその説明を省略する。
【００２２】
（実施の形態１）
この実施の形態の毛抜き１１（図３、図４）は、屈曲部２を介して屈曲部２から離れる長手方向に向かって互いに伸びる金属製の一対の板状挟持片３ａ、３ｂから構成されている。
【００２３】
眉毛、無駄毛、トゲなどの被挟持物を挟持する一対の挟持面５ａ、５ｂが一対の板状挟持片３ａ、３ｂの屈曲部２に対向する側の端縁４ａ、４ｂにそれぞれ形成されている。
【００２４】
屈曲部２の近傍で、一対の板状挟持片３ａ、３ｂの互いに対向する壁面３ｃ、３ｄの間に支持体９ａが配備されている。図３、図４図示の実施形態では、支持体９ａは金属製の薄板である。
【００２５】
支持体９ａと、一対の板状挟持片３ａ、３ｂの互いに対向している壁面３ｃ、３ｄとの間にそれぞれ固定部１０ａ、１０ｂが形成されている。固定部１０ａ、１０ｂは、例えば、金属製の板状挟持片３ａ、３ｂの壁面３ｃ、３ｄと、金属製の薄板からなる支持体９ａと間の溶接によって形成される。あるいは、接着剤などを用いた両者の間の接合・固定などによって形成される。
【００２６】
毛抜き１２を使用して互いに対向している一対の挟持面５ａ、５ｂの間に無駄毛などの被挟持物を挟持する場合には、指で挟持片３ａ、３ｂを摘まんで、金属の弾性力に抗しながら、固定部１０ａ、１０ｂを支点として、端縁４ａ、４ｂを、矢印６ａ、６ｂで示すように、互いに接近させることになる。
【００２７】
すなわち、支持体９ａにおける、板状挟持片３ａ、３ｂの互いに対向している壁面３ｃ、３ｄの側の部分と、壁面３ｃ、３ｄとの間の固定部１０ａ、１０ｂを支点として、挟持片３ａ、３ｂの端縁４ａ、４ｂが、矢印６ａ、６ｂで示すように移動する。
【００２８】
この実施形態では、このような動作における支点は、支持体９ａにおける、板状挟持片３ａ、３ｂの互いに対向している壁面３ｃ、３ｄの側の部分と、壁面３ｃ、３ｄとの間の固定部１０ａ、１０ｂである。
【００２９】
そこで、このような動作の支点が安定していることから、毛抜き１１を使用する際に、挟持面５ａ、５ｂが形成されている側の端縁４ａ、４ｂが、図１において矢印７ａ、７ｂで説明したように、長手方向に交差する上下方向にズレて、目的とする無駄毛などをうまく挟めなくなるという事態は発生しなくなる。これによって、使い勝手の良い毛抜きを提供できる。
【００３０】
なお、この実施の形態では、支持体９ａを金属製の薄板としたが、上述した支点としての剛性を発揮できる部材であれば、合成樹脂製、等、他の材質のものにすることもできる。
【００３１】
この実施の形態において、図３に示している、屈曲部２の内側面から固定部１０ａまでの長さＬ１と、固定部１０ａから板状挟持片３ａの屈曲部２に対向する側の端縁４ａまでの長さＬ２との間の関係は、Ｌ１：Ｌ２＝１：５．２〜Ｌ１：Ｌ２＝１：６．３の範囲にすることができる。
【００３２】
例えば、図３でＬ１＋Ｌ２＝１００ｍｍの時、Ｌ１＝１５ｍｍ、Ｌ２＝８５ｍｍとしてＬ１：Ｌ２＝１：５．７の関係にすることができる。また、図３でＬ１＋Ｌ２＝８０ｍｍの時、Ｌ１＝１２ｍｍ、Ｌ２＝６８ｍｍとしてＬ１：Ｌ２＝１：５．７の関係にすることができる。更に、図３でＬ１＋Ｌ２＝１２０ｍｍの時、Ｌ１＝１８ｍｍ、Ｌ２＝１０２ｍｍとしてＬ１：Ｌ２＝１：５．７の関係にすることができる。
【００３３】
Ｌ１の大きさ（長さ）は、毛抜き１１の全長（Ｌ１＋Ｌ２）の大きさ、毛抜き１１に使用されている金属の材質による硬さ、しなやかさ、伸びなどを考慮して設定することができる。
【００３４】
また、支持体９ａの形状、大きさも、毛抜き１１の全長（Ｌ１＋Ｌ２）の大きさ、毛抜き１１に使用されている金属の材質による硬さ、しなやかさ、伸びなどを考慮して設定することができる。
【００３５】
図３におけるＬ１の大きさ（長さ）や、支持体９ａの形状、大きさは上述の事項を考慮して設定できるが、小さな物を挟んだり、摘まんだりすることに用いられる毛抜き、ピンセットなどの形状、大きさを考慮した場合、以下に説明するように、Ｌ１の大きさ（長さ）とＬ２の大きさ（長さ）との間には上述した関係があることが望ましい。
【００３６】
Ｌ２の大きさに対してＬ１の大きさを小さくして、図２に符号Ｗ１で示す、固定部１０ａと固定部１０ｂとの間の大きさ（間隔）を小さくすると、毛抜き１１（図３）を使用するべく、指で挟持片３ａ、３ｂを摘まんで、固定部１０ａ、１０ｂを支点として、端縁４ａ、４ｂを、矢印６ａ、６ｂで示すように、互いに接近させる際の可動範囲が小さくなる。このため、毛抜き１１の使い勝手が良好でなくなるので、好ましくない。
【００３７】
一方、Ｌ２の大きさに対してＬ１の大きさを大きくして、図２に符号Ｗ１で示す、固定部１０ａと固定部１０ｂとの間の大きさ（間隔）を大きくすると、この場合も毛抜き１１の使い勝手が良好でなくなるので、好ましくない。
【００３８】
そこで、このような観点から、屈曲部２の内側面から固定部１０ａまでの長さＬ１と、固定部１０ａから板状挟持片３ａの屈曲部２に対向する側の端縁４ａまでの長さＬ２との間の関係は、上述したＬ１：Ｌ２＝１：５．２〜Ｌ１：Ｌ２＝１：６．３の範囲にしておくことが望ましい。なお、このような観点からより好ましい範囲は、Ｌ１：Ｌ２＝１：５．４〜Ｌ１：Ｌ２＝１：６．０、更に好ましい範囲は、Ｌ１：Ｌ２＝１：５．６〜Ｌ１：Ｌ２＝１：５．８である。
【００３９】
上記の説明では、板状挟持片３ａの側に形成される固定部１０ａの位置で説明したが、支持体９ａは、一対の板状挟持片３ａ、３ｂの互いに対向する壁面３ｃ、３ｄの間に配備されるものである。そこで、板状挟持片３ｂの側に形成される固定部１０ｂの位置についても同様である。
【００４０】
すなわち、上述した観点から、屈曲部２の内側面から固定部１０ｂまでの長さＬ１と、固定部１０ｂから板状挟持片３ｂの屈曲部２に対向する側の端縁４ｂまでの長さＬ２との関係も、Ｌ１：Ｌ２＝１：５．２〜Ｌ１：Ｌ２＝１：６．３としておくことが望ましい。
【００４１】
なお、支持体９ａは上述したように、金属、等の剛性を有する部材であり、支持体９ａと、一対の板状挟持片３ａ、３ｂの互いに対向している壁面３ｃ、３ｄとの間にそれぞれ固定部１０ａ、１０ｂが形成される。
【００４２】
上述したように、支持体９ａの形状、大きさは、毛抜き１１の全長（Ｌ１＋Ｌ２）の大きさ、毛抜き１１に使用されている金属の材質による硬さ、しなやかさ、伸びなどを考慮して設定することができるが、支持体９ａが配備される位置によっては、支持体９ａの大きさと、図２に符号Ｗ１で示されるサイズとの関係から、支持体９ａ配備後の、端縁４ａ、４ｂ間の間隔が大きくなりすぎたり、小さくなりすぎて、使い勝手の良くない毛抜きになるおそれがある。
【００４３】
そこで、図２図示のように、支持体９ａが配備されていない状態において、上述したＬ１：Ｌ２の関係を満たす領域で支持体９ａを配備する箇所を設定し、この設定した個所に形成される固定部１０ａと固定部１０ｂとの間の大きさ（長さ）（図２に符号Ｗ１で示されるサイズ）を有する形状、構造の支持体９ａを、図３図示のように、当該設定した箇所に配備することによって、上記のようにＬ１の大きさとＬ２の大きさとの関係を設定した意義が発揮されるようにすることが望ましい。
【００４４】
（実施の形態２）
図５、図６は、他の実施の形態を説明するものである。
【００４５】
図５、図６図示の実施の形態が、図３、図４図示の実施の形態と相違している点は、支持体９ｂが中空の筒状体である点だけである。
【００４６】
その他の点は、図３、図４図示の実施の形態と同一であるので共通する部分には共通する符号をつけてその説明を省略する。
【００４７】
なお、図５、図６図示の実施の形態では、金属製あるいは所要の剛性を備えている合成樹脂からなる中空の筒状体で支持体９ｂを形成している。これに替えて、金属製あるいは所要の剛性を備えている合成樹脂からなる円柱体で支持体９ｂを形成することもできる。
【００４８】
（実施の形態３）
図７図示の実施形態は図５、図６図示の実施形態の変形例を説明するものである。
【００４９】
図５、図６図示の実施形態では、筒状体からなる支持体９ｂの外周面と一対の板状挟持片３ａ、３ｂの互いに対向している壁面３ｃ、３ｄとの間にそれぞれ固定部１０ａ、１０ｂを形成していた。
【００５０】
図７図示の実施形態では、板状挟持片３ａ、３ｂの上端３ｅ、３ｆから伸びる支持片１０ｃ、１０ｄと、筒状体からなる支持体９ｂの上端との間での固定を行っている。なお、図示していないが、筒状体からなる支持体９ｂの下端においても、板状挟持片３ａ、３ｂの下端から伸びる支持片との間で結合を行うようにできる。
【００５１】
以上、添付図面を参照して本発明の好ましい実施形態を説明したが、本発明はこれらに限定されるものではなく、特許請求の範囲の記載から把握される技術的範囲において種々の形態に変更可能である。
【００５２】
例えば、薄板状の金属片を屈曲部で折り曲げた構造・形状からなる挟持具の一例として上記では毛抜きについて説明したが、ピンセットについても同様である。
【００５３】
また、支持体としては、上述した薄板状、円筒状の支持体に限られない。金属製、等、所望の剛性を有する部材からなり、一対の板状挟持片３ａ、３ｂの互いに対向している壁面３ｃ、３ｄとの間にそれぞれ固定部１０ａ、１０ｂを形成し、当該固定部１０ａ、１０ｂを支点として挟持面５ａ、５ｂ同士の間に被挟持物を挟むべく端縁４ａ、４ｂ同士が互いに接近することを可能にできる形態・構造であれば、種々の形状・構造のものを支持体として採用することができる。
【符号の説明】
【００５４】
１    従来の毛抜き
２    屈曲部
３ａ、３ｂ    板状挟持片
３ｃ、３ｄ    板状挟持片の互いに対向する壁面
４ａ、４ｂ    板状挟持片の端縁
５ａ、５ｂ    板状挟持片の端縁に形成されている挟持面
９ａ、９ｂ    支持体
１０ａ、１０ｂ  固定部
１０ｃ、１０ｄ  支持片
１１、１２、１３  毛抜き
【要約】
【課題】屈曲部を介して当該屈曲部から離れる長手方向に向かって互いに伸びる金属製の一対の板状挟持片からなり、被挟持物を挟持する一対の挟持面が前記一対の板状挟持片の前記屈曲部に対向する側の端縁にそれぞれ形成されている挟持具において、使用する際に、挟持面が形成されている側の端縁が前記長手方向に交差する上下方向にズレて、目的とする小さな被挟持物をうまく挟めなくなるという問題を解決できる新たな構造の挟持具を提案する。
【解決手段】屈曲部の近傍において、一対の板状挟持片の互いに対向する壁面同士の間に支持体が配備され、前記支持体と、前記一対の板状挟持片の互いに対向している壁面との間にそれぞれ固定部が形成され、前記固定部を支点として前記挟持面同士の間に前記被挟持物を挟むべく前記端縁同士が互いに接近する。
【選択図】図３【図１】
0005980389.tif 000002
【図２】
0005980389.tif 000003
【図３】
0005980389.tif 000004
【図４】
0005980389.tif 000005
【図５】
0005980389.tif 000006
【図６】
0005980389.tif 000007
【図７】
0005980389.tif 000008